(57)【要約】      （修正有）【課題】計測結果及び計測時刻を把握できる電子時計を提供すること。【解決手段】電子時計は、所定の計測項目を計測可能な計測部３３と、計測部３３による計測結果と、当該計測結果が得られた計測時刻とが関連付けられた計測結果情報を記憶する記憶部３５と、計測結果及び計測時刻を針によって表示する表示部と、を備える。記憶部３５には、計測結果と、当該計測結果が得られた計測時刻とが記憶されるため、当該計測時刻より後のタイミングにて、計測部による計測結果だけでなく、計測時刻を表示部の針によって表示できる。【選択図】図２
2018159665.tif 000002
【特許請求の範囲】
【請求項１】
所定の計測項目を計測可能な計測部と、
前記計測部による計測結果と、前記計測結果が得られた計測時刻とが関連付けられた計測結果情報を記憶する記憶部と、
前記計測結果及び前記計測時刻を針によって表示する表示部と、を備えることを特徴とする電子時計。
【請求項２】
請求項１に記載の電子時計において、
前記針は、
前記計測時刻を示す時針及び分針と、
前記時針及び前記分針とは別に設けられ、前記計測結果を示す指針と、を含むことを特徴とする電子時計。
【請求項３】
請求項１又は請求項２に記載の電子時計において、
前記計測結果情報を記憶させる記憶操作が実施されると、前記計測結果情報を前記記憶部に記憶させる記憶制御部を備えることを特徴とする電子時計。
【請求項４】
請求項３に記載の電子時計において、
前記記憶制御部は、前記記憶部による前記計測結果情報の記憶順を示す記憶番号とともに、前記計測結果情報を前記記憶部に記憶させることを特徴とする電子時計。
【請求項５】
請求項４に記載の電子時計において、
前記記憶制御部は、前記記憶操作が行われると、新たに取得された前記計測結果情報を最新の前記記憶番号とともに前記記憶部に記憶させ、前記記憶部に既に記憶されている前記計測結果情報と関連付けられた前記記憶番号の繰り上げ及び繰り下げのいずれかを行うことを特徴とする電子時計。
【請求項６】
請求項４又は請求項５に記載の電子時計において、
前記計測結果情報を表示させる表示操作が実施されると、前記表示操作により指定された前記記憶番号に関連付けられた前記計測結果情報を前記表示部に表示させる表示制御部を備えることを特徴とする電子時計。
【請求項７】
請求項６に記載の電子時計において、
前記表示部は、前記記憶番号を示す番号針を備えることを特徴とする電子時計。
【請求項８】
請求項２に記載の電子時計において、
前記時針及び前記分針の位置を変更する時刻操作が実施されると、前記時針及び前記分針により示される時刻が前記記憶部に記憶された前記計測時刻と一致する場合に、前記計測時刻に関連付けられた前記計測結果を前記指針によって示す制御部を有することを特徴とする電子時計。
【請求項９】
請求項８に記載の電子時計において、
前記時刻操作に応じて前記時針及び前記分針を移動させる駆動部を備え、
当該電子時計は、
前記記憶部に記憶された前記計測結果情報を参照する参照モードと、
現在時刻を表示する基本モードと、に動作モードを切り替え可能に構成され、
前記駆動部は、前記動作モードが前記参照モードであるときに前記時刻操作が行われると、前記基本モードであるときに前記時刻操作が行われた場合の前記時針及び前記分針の移動速度より高い移動速度で前記時針及び前記分針を移動させることを特徴とする電子時計。
【請求項１０】
請求項８に記載の電子時計において、
前記時刻操作に応じて前記時針及び前記分針を移動させる駆動部を備え、
前記駆動部は、前記時針及び前記分針によって示される時刻が過去に遡るに従って、前記時針及び前記分針の移動速度を高めることを特徴とする電子時計。
【発明の詳細な説明】
【技術分野】
【０００１】
本発明は、電子時計に関する。
【背景技術】
【０００２】
従来、現在時刻を時分針によって指示するとともに、温度等の物理量を計測し、計測された物理量を情報指針によって指示する電子時計が知られている（例えば、特許文献１参照）。
この特許文献１に記載の電子時計は、現在時刻を計時する構成に加えて、外気温を検出する温度センサーと、温度センサーの通電及び計測周期を制御して温度計測を行う温度センサー制御部と、を備えている。そして、当該電子時計では、時刻は、文字板の中心を軸に文字板の全体で回転される時針及び分針によって示される。また、温度センサーによって計測された温度は、文字板の９時位置に設けられた目盛部に位置する小針によって示される。
【先行技術文献】
【特許文献】
【０００３】
【特許文献１】特開２０１３−５７５１７号公報
【発明の概要】
【発明が解決しようとする課題】
【０００４】
ここで、上記特許文献１に記載された電子時計では、温度センサーによる計測値である温度は、当該温度の計測時に上記小針によって示される。これに対し、後のタイミングにて計測値を参照可能な構成が要望されていた。
しかしながら、単に過去の計測値を表示するだけでは、表示された計測値が、どのタイミングで記憶された計測値なのか判別できないという問題がある。
【０００５】
本発明は、計測結果及び計測時刻を把握できる電子時計を提供することを目的の１つとする。
【課題を解決するための手段】
【０００６】
本発明の一態様に係る電子時計は、所定の計測項目を計測可能な計測部と、前記計測部による計測結果と、前記計測結果が得られた計測時刻とが関連付けられた計測結果情報を記憶する記憶部と、前記計測結果及び前記計測時刻を針によって表示する表示部と、を備えることを特徴とする。
【０００７】
なお、計測時刻は、計測部によって計測結果が得られたタイミングの時刻でもよく、当該計測部に計測を実施させたタイミングの時刻でもよい。
上記一態様によれば、記憶部には、計測結果と、当該計測結果が得られた計測時刻とが記憶される。このため、当該計測時刻より後のタイミングにて、計測部による計測結果だけでなく、計測時刻を表示部の針によって表示できる。従って、後になって計測結果を確認する場合でも、当該計測結果の計測時刻をユーザーが把握できる。
【０００８】
上記一態様では、前記針は、前記計測時刻を示す時針及び分針と、前記時針及び前記分針とは別に設けられ、前記計測結果を示す指針と、を含むことが好ましい。
このような構成によれば、時針及び分針と指針とが別に設けられていることにより、これら計測時刻及び計測結果を同時に把握しやすくすることができる。
【０００９】
上記一態様では、前記計測結果情報を記憶させる記憶操作が実施されると、前記計測結果情報を前記記憶部に記憶させる記憶制御部を備えることが好ましい。
このような構成によれば、上記計測結果情報は、上記記憶操作が実施された場合に記憶されるので、記憶部は、計測結果の全てを記憶する必要がない。従って、記憶部の記憶容量を小さくすることができ、電子時計の製造コストを低減できる。
【００１０】
上記一態様では、前記記憶制御部は、前記記憶部による前記計測結果情報の記憶順を示す記憶番号とともに、前記計測結果情報を前記記憶部に記憶させることが好ましい。
このような構成によれば、記憶番号に基づいて、記憶部からの計測結果情報の読み出しを迅速に実行できる。従って、計測結果情報を表示させる表示操作が行われてから、該当する計測結果情報が表示されるまでの時間を短縮できる。
【００１１】
上記一態様では、前記記憶制御部は、前記記憶操作が行われると、新たに取得された前記計測結果情報を最新の前記記憶番号とともに前記記憶部に記憶させ、前記記憶部に既に記憶されている前記計測結果情報と関連付けられた前記記憶番号の繰り上げ及び繰り下げのいずれかを行うことが好ましい。
このような構成によれば、計測結果情報の記憶順に記憶番号を整理できる。従って、記憶番号を指定して計測結果情報を表示する場合や、記憶番号順に計測結果情報を表示する場合に、当該計測結果情報を効率よく参照及び表示できる。
【００１２】
上記一態様では、前記計測結果情報を表示させる表示操作が実施されると、前記表示操作により指定された前記記憶番号に関連付けられた前記計測結果情報を前記表示部に表示させる表示制御部を備えることが好ましい。
このような構成によれば、記憶番号を指定することによって、当該記憶番号に関連付けられた計測結果情報を表示できる。従って、ユーザーが参照したい計測結果情報を指定しやすくすることができ、電子時計の利便性を向上させることができる。
【００１３】
上記一態様では、前記表示部は、前記記憶番号を示す番号針を備えることが好ましい。
このような構成によれば、計測結果情報が表示される際に、指定された記憶番号をユーザー自身が確認できる。従って、電子時計の利便性を向上させることができる。
【００１４】
上記一態様では、前記時針及び前記分針の位置を変更する時刻操作が実施されると、前記時針及び前記分針により示される時刻が前記記憶部に記憶された前記計測時刻と一致する場合に、前記計測時刻に関連付けられた前記計測結果を前記指針によって示す制御部を有することが好ましい。
このような構成によれば、ユーザーによって位置が変更された時針及び分針により示される時刻と関連付けて記憶された計測結果が上記指針によって示される。これによれば、計測結果の推移を把握しやすくすることができる。例えば、記憶部への計測結果の記憶が１時間に複数回行われている場合には、分針を移動させることによって計測結果の推移を把握しやすくすることができる。また、当該記憶が１日に複数回行われている場合には、時針を移動させることによって計測結果の推移を把握しやすくすることができる。従って、電子時計の利便性を向上させることができる。
【００１５】
上記一態様では、前記時刻操作に応じて前記時針及び前記分針を移動させる駆動部を備え、当該電子時計は、前記記憶部に記憶された前記計測結果情報を参照する参照モードと、現在時刻を表示する基本モードと、に動作モードを切り替え可能に構成され、前記駆動部は、前記動作モードが前記参照モードであるときに前記時刻操作が行われると、前記基本モードであるときに前記時刻操作が行われた場合の前記時針及び前記分針の移動速度より高い移動速度で前記時針及び前記分針を移動させることが好ましい。
なお、駆動部としては、モーターを例示できる他、圧電素子等のアクチュエーターを例示できる。
このような構成によれば、駆動部によって時針及び分針の位置を容易に変更できるので、りゅうずを回す等の操作によって、参照する計測結果情報の計測時刻を指定する場合に比べて、当該計測時刻を容易に指定できる。
また、電子時計の動作モードが参照モードである場合の時針及び分針の移動は、基本モードである場合より高い移動速度にて行われる。このため、上記計測時刻の指定を迅速に行うことができるので、ユーザーが参照したい計測結果をより迅速に表示できる。この他、時針及び分針の移動に応じて計測結果が表示されるので、当該計測結果の推移を把握しやすくすることができる。
【００１６】
或いは、上記一態様では、前記時刻操作に応じて前記時針及び前記分針を移動させる駆動部を備え、前記駆動部は、前記時針及び前記分針によって示される時刻が過去に遡るに従って、前記時針及び前記分針の移動速度を高めることが好ましい。
なお、駆動部としては、上記のように、モーターや圧電素子等のアクチュエーターを例示できる。
このような構成によれば、比較的古い計測結果を参照する場合に、当該計測結果に関連付けられた計測時刻に時針及び分針を合わせやすくすることができる。従って、ユーザーが参照したい計測結果をより迅速に表示でき、電子時計の利便性を向上させることができる。
【図面の簡単な説明】
【００１７】
【図１】本発明の第１実施形態に係る電子時計を示す正面図。
【図２】上記第１実施形態における電子時計の内部構成を示すブロック図。
【図３】上記第１実施形態における制御部の構成を示すブロック図。
【図４】上記第１実施形態における計測結果情報のデータ構造を示す図。
【図５】上記第１実施形態における記憶処理を示すフローチャート。
【図６】上記第１実施形態における参照処理を示すフローチャート。
【図７】上記第１実施形態におけるログ番号２の計測結果情報を表示している電子時計を示す正面図。
【図８】本発明の第２実施形態に係る電子時計が有する制御部の構成を示すブロック図。
【図９】上記第２実施形態における電子時計のりゅうずをユーザーが操作している際の指針の動きを示す図。
【図１０】上記第２実施形態における参照処理を示すフローチャート。
【図１１】本発明の第３実施形態に係る電子時計を示す正面図。
【発明を実施するための形態】
【００１８】
［第１実施形態］
以下、本発明の第１実施形態について、図面に基づいて説明する。
［電子時計の外観構成］
図１は、本実施形態に係る電子時計１Ａを示す正面図である。
本実施形態に係る電子時計１Ａは、ユーザーによって携帯可能に構成され、当該ユーザーに装着されて利用されるウェアラブル機器であり、図１に示すように、現在日時とセンサーによる計測結果とを針によって指示するアナログ式の電子時計である。この電子時計１Ａ（以下、時計１Ａと略す場合がある）は、時計本体２と、当該時計本体２をユーザーの身体（例えば手首）に装着させるバンド（図示省略）と、を備える。
【００１９】
［時計本体の構成］
時計本体２は、正面視略円形状の筐体２１及び文字盤２２を有する。
筐体２１における正面側の周縁には、目盛値ＳＶ（ＳＶ１〜ＳＶ４）が表記されている。具体的に、当該周縁における０時方向の位置には「００」との目盛値ＳＶ１が表記され、３時方向の位置には「２５」との目盛値ＳＶ２が表記されている。また、６時方向の位置には「５０」との目盛値ＳＶ３が表記され、９時方向の位置には「７５」との目盛値ＳＶ４が表記されている。これら目盛値ＳＶ１〜ＳＶ４は、時計１Ａの動作モードが後述する参照モードに設定された際に、指針Ｐ３によって「００」〜「９９」の値が示される際の目盛値である。
【００２０】
文字盤２２は、時計１Ａの表示部ＤＵを構成する。この文字盤２２は、円形状に形成され、筐体２１内に配置されている。このような文字盤２２は、４つの小窓２３〜２６と、日付表示部２７と、時刻表示針Ｈ（時針Ｈ１，Ｈ４、分針Ｈ２及び秒針Ｈ３）と、モード表示針Ｈ５及び残量表示針Ｈ６と、指針Ｐ１〜Ｐ３とを有する。
これらのうち、時針Ｈ１，Ｈ４、分針Ｈ２及び日付表示部２７を、日時表示部ＤＴとする。
【００２１】
時針Ｈ１及び分針Ｈ２は、それぞれの回動軸が文字盤２２の略中央にて同軸となるように回転可能に設けられている。
小窓２３は、文字盤２２において略１０時方向に位置する。この小窓２３には、秒針Ｈ３が回転可能に配置されている。この秒針Ｈ３は、後述するログ番号を指し示す番号針としても機能する。
小窓２４は、文字盤２２において略６時方向に位置する。この小窓２４には、モード表示針Ｈ５及び残量表示針Ｈ６が、それぞれの回動軸が小窓２４の略中央にて同軸となるように回動可能に配置されている。これらのうち、モード表示針Ｈ５は、時計１Ａの現在の動作モードを指し示す針であり、残量表示針Ｈ６は、筐体２１に内蔵された二次電池（図示省略）の電池残量を指し示す針である。
【００２２】
小窓２５は、文字盤２２における略２時方向の位置に配置されている。この小窓２５には、指針Ｐ１，Ｐ２が、それぞれの回動軸が同軸となるように回動可能に配置されている。これらのうち、指針Ｐ２は、指針Ｐ１より長く形成されている。
指針Ｐ３は、回動軸が時針Ｈ１及び分針Ｈ２と同軸となるように文字盤２２に回動可能に設けられている。
【００２３】
なお、時計１Ａは、後述する計測部３３による計測結果を示す際に、上記指針Ｐ１〜Ｐ３によって四桁の数値を指し示すことが可能である。本実施形態では、当該四桁の数値のうち、上位一桁目の数値（例えば千の桁の数値）を指針Ｐ１が指示し、上位二桁目の数値（例えば百の桁の数値）を指針Ｐ２が指示し、上位三桁目及び四桁目の数値（例えば十の桁及び一の桁の数値）を指針Ｐ３が指示する。小数点以下の数値を示す場合も同様である。すなわち、指針Ｐ１，Ｐ２は、それぞれ「０」〜「１」の値を指示し、指針Ｐ３は、「００」〜「９９」の値を指示する。
【００２４】
小窓２６は、文字盤２２において略４時方向で、かつ、当該文字盤２２における中央寄りの位置に配置されている。この小窓２６は、時針Ｈ４が回転可能に設けられている。この時針Ｈ４は、現在日時における時（時分のうちの時）を２４時間スケールで示す２４時間針である。
日付表示部２７は、文字盤２２において略４時方向で、かつ、当該文字盤２２における周縁側に位置する。この日付表示部２７は、現在日時における日付を示す表示部であり、日付が表記された日車２７１を有する。
【００２５】
上記筐体２１は、それぞれ筐体２１の側面に突設された３つのスイッチＳＷ（ＳＷＡ〜ＳＷＣ）と、１つのりゅうずＣＲと、を有する。
スイッチＳＷＡ〜ＳＷＣは、略８時方向、略１０時方向及び略２時方向の位置にそれぞれ配置されている。これらスイッチＳＷＡ〜ＳＷＣは、ユーザーによる入力操作（押下操作）に応じた操作信号を、後述する制御部３７に出力する。
【００２６】
例えば、スイッチＳＷＢ，ＳＷＣは、時計１Ａの動作モードを変更させる操作信号を出力する。このような動作モードとして、時計１Ａには、基本モード、機内モード、計測モード及び参照モードが設定されている。
これらのうち、基本モードは、現在日時を表示する他、外部からの電波（例えば、後述する日時情報）を受信可能なモードである。機内モードは、飛行機の機内にある場合に利用される動作モードであり、電波の受信が制限されたモードである。計測モードは、後述する計測部３３による計測結果を表示するモードであり、参照モードは、ログとして記録された計測結果及び計測日時を含む計測結果情報を参照可能なモードである。
そして、本実施形態では、スイッチＳＷＣが入力されると、後述する制御部３７によって、時計１Ａの動作モードが計測モードに切り替えられる。この計測モードにて、スイッチＳＷＣが長押し等の入力形式にて入力されると、計測部３３による計測結果と、当該計測結果が得られた時の日時である計測日時とを含む計測結果情報が、ログ番号とともに記憶される。このログ番号は、計測結果情報の記憶順に割り振られる番号であり、最新の計測結果情報にはログ番号１が設定される。すなわち、新たな計測結果情報が記憶される場合には、既に記憶されている計測結果情報のログ番号は、それぞれ１繰り上げられる。
【００２７】
一方、スイッチＳＷＢが入力されると、時計１Ａの動作モードが参照モードに切り替えられる。この参照モードにて、スイッチＳＷＢが更に入力されると、当該スイッチＳＷＢの入力回数に応じて、参照される計測結果情報のログ番号が１ずつ繰り上げられる。このため、参照モードに変更された直後では、ログ番号１の計測結果情報が参照され、更にスイッチＳＷＢが入力されると、ログ番号２の計測結果情報が参照される。そして、番号針として機能する秒針Ｈ３によってログ番号が示され、当該ログ番号に関連付けられた計測結果情報が、指針Ｐ１〜Ｐ３によって示される。
りゅうずＣＲは、筐体２１の側面における３時方向の位置に配置されている。このりゅうずＣＲを操作することによって、時針Ｈ１〜Ｈ４を回転させることができる。
【００２８】
［時計の内部構成］
図２は、時計１Ａの内部構成を示すブロック図である。
時計１Ａは、上記構成の他、図２に示すように、受信部３１、計時部３２、計測部３３、駆動部３４、記憶部３５、通信部３６及び制御部３７を有する。この他、図示を省略するが、時計１Ａは、時計本体２に駆動電力を供給する二次電池と、当該二次電池を充電する電力を発生させるソーラーパネル等の発電部と、当該発電部によって発電された電力によって二次電池を充電する充電部と、を備える。
【００２９】
受信部３１は、制御部３７による制御の下、ＧＰＳ（Global Positioning System）信号等の衛星信号や標準電波等に含まれる日時情報を受信するモジュールにより構成されている。なお、受信部３１による日時情報の受信は、上記スイッチＳＷ（例えばスイッチＳＷＡ）が押下された場合に実施されてもよく、予め設定された時刻に実施されてもよい。
計時部３２は、現在日時を計時する。この現在日時は、受信部３１によって受信された日時情報に基づいて、後述する制御部３７によって修正される。
【００３０】
計測部３３は、ユーザーの生体及び体動に情報や、時計１Ａの周囲環境に関する情報を計測する。図示を省略するが、本実施形態では、計測部３３は、気圧及び方位をそれぞれ計測するセンサーを有し、これらセンサーによって、気圧、高度及び方位を計測する。そして、計測部３３は、これら計測項目の計測結果を、制御部３７に出力する。これらのうち、高度は、気圧に基づいて算出可能である。
なお、計測部３３は、ユーザーの生体及び体動に関する情報を計測するセンサーとして、脈波を検出して脈拍数を計測する脈波センサーや、ユーザーの体動（具体的には当該体動によって作用される加速度）を検出して、ユーザーの歩数及びカロリーを計測する加速度センサー等を備えていてもよい。また、計測部３３は、上記周囲環境に関する情報を計測するセンサーとして、紫外線センサーや温度センサーを備えていてもよい。
【００３１】
駆動部３４は、制御部３７による制御の下、それぞれ上記した針Ｈ１〜Ｈ６、指針Ｐ１〜Ｐ３及び日車２７１を回動させる。このような駆動部３４は、各針Ｈ１〜Ｈ６及び各指針Ｐ１〜Ｐ３に応じて設けられたステッピングモーター及び歯車輪列と、日車２７１を回転させるステッピングモーター及び歯車輪列と、を備える。
【００３２】
記憶部３５は、例えばフラッシュメモリー等の不揮発性メモリーにより構成され、時計１Ａの動作に必要な各種プログラムやデータを記憶している。例えば、このようなプログラムとして、記憶部３５は、上記計測部３３による計測結果をログとして記憶させる記憶処理を実行するための記憶プログラムや、後述する参照処理を実行するための参照プログラムを記憶している。また、記憶部３５は、制御部３７による制御の下、計測部３３による計測結果と、当該計測結果が得られた日時である計測日時とを含む計測結果情報を、ログ番号と関連付けて記憶する。なお、本実施形態では、記憶部３５に記憶可能なログの数は１１である。
【００３３】
通信部３６は、制御部３７による制御の下、外部機器と通信して、当該外部機器との間で情報の送受信を行う。例えば、通信部３６は、当該外部機器から受信される要求情報に応じて、計測部３３によって計測され、かつ、記憶部３５に記憶された計測結果情報を、当該外部機器に送信する。
このような通信部３６は、例えば、例えばＩＥＥＥ８０２．１５等の近距離無線通信規格に応じた通信方式や、ＩＥＥＥ８０２．１６及びＬＴＥ（Long Term Evolution）等の通信規格に応じた通信方式により、外部機器と通信可能な通信モジュールにより構成できる。なお、前者の通信方式としては、Bluetooth（登録商標）が挙げられる。
【００３４】
図３は、制御部３７の構成を示すブロック図である。
制御部３７は、例えばＣＰＵ（Central Processing Unit）等の演算処理回路を備えて構成され、時計１Ａ全体の動作を制御する。例えば、制御部３７は、上記スイッチＳＷの押下に応じて入力される操作信号に応じた処理を実行する他、現在日時の修正や、現在日時を上記時刻表示針Ｈ１〜Ｈ４によって表示する運針処理を行う。
更に、制御部３７は、上記記憶部３５に記憶された記憶プログラム及び参照プログラムを実行して、記憶処理及び参照処理を実施する。このため、制御部３７は、図３に示すように、操作判定部３７１、動作制御部３７２、表示制御部３７３及び記憶制御部３７４を有する。
【００３５】
操作判定部３７１は、上記操作信号に基づいて、ユーザーによって行われた操作の種別を判定する。
例えば、操作判定部３７１は、時計１Ａの現在の動作モードが基本モードや機内モードである場合に、スイッチＳＷＣの入力に応じた操作信号が入力された場合には、動作モードを計測モードに切り替える操作が行われたと判定する。また例えば、現在の動作モードが計測モードである場合に、スイッチＳＷＣの入力に応じた操作信号が入力されると、ログを記憶させる記憶操作が行われたと判定する。
また、操作判定部３７１は、時計１Ａの現在の動作モードが基本モードや機内モードである場合に、スイッチＳＷＢの入力に応じた操作信号が入力された場合には、動作モードを参照モードに切り替える操作が行われたと判定する。また例えば、現在の動作モードが参照モードである場合に、スイッチＳＷＢの入力に応じた操作信号が入力されると、参照する計測結果情報のログ番号を変更する変更操作が行われたと判定する。
【００３６】
動作制御部３７２は、時計１Ａの動作を、自律的に、或いは、ユーザーによる入力操作に応じて制御する。
例えば、動作制御部３７２は、受信部３１による日時情報の受信を制御する他、計時部３２によって計時されている現在日時を、受信された日時情報に基づいて修正させる。この他、動作制御部３７２は、上記操作判定部３７１によって、動作モードを変更する入力操作が行われたと判定された場合に、当該入力操作に応じた動作モードに、時計１Ａの動作モードを変更する。
【００３７】
表示制御部３７３は、駆動部３４を制御して、表示部ＤＵによって各種情報を表示する。例えば、表示制御部３７３は、モード表示針Ｈ５によって現在の動作モードを指示する他、残量表示針Ｈ６によって二次電池（図示省略）の電池残量を表示する。また、表示制御部３７３は、時計１Ａの現在の動作モードが基本モードである場合には、針Ｈ１〜Ｈ４により現在時刻を指示させる他、日付表示部２７により現在日付を表示させる。
更に、表示制御部３７３は、時計１Ａの動作モードが計測モードである場合に、計測部３３による計測結果（計測値）を取得し、駆動部３４を駆動させて、上記指針Ｐ１〜Ｐ３によって当該計測結果を指示する。なお、計測部３３は、上記のように複数の計測項目を計測可能であるので、表示制御部３７３は、ユーザーによって選択された計測項目の計測結果を上記指針Ｐ１〜Ｐ３によって表示するが、計測結果を表示する計測項目を順次切り替えてもよい。
なお、動作モードが参照モードである場合の表示制御部３７３の動作については、後に詳述する。
【００３８】
記憶制御部３７４は、記憶部３５による情報の記憶を制御する。例えば、記憶制御部３７４は、時計１Ａの動作モードが計測モードである場合に、上記操作判定部３７１によって上記記憶操作が行われたと判定されると、当該記憶操作が行われたときの計測結果情報をログとして記憶部３５に記憶させる。
【００３９】
図４は、記憶制御部３７４によって記憶部３５に記憶される計測結果情報のデータ構造を示す図である。なお、図４における上段には、既に記憶部３５に記憶されているログ番号及び計測結果情報が示され、下段には、新たな計測結果情報が記憶された後のログ番号及び計測結果情報が示されている。
具体的に、記憶制御部３７４は、上記記憶操作が行われたタイミング（記憶操作が行われたと判定されたタイミング）での計測部３３による計測結果（計測値）と、計時部３２によって計時されている現在日時と、を取得する。そして、記憶制御部３７４は、図４の下段に示すように、取得された計測結果及び現在日時（計測日時）を計測結果情報として、記憶部３５に記憶させる。この際、記憶制御部３７４は、当該計測結果情報のログ番号を、最新の計測結果情報であることを示すログ番号１とし、既に記憶されている計測結果情報のログ番号を１ずつ繰り上げる。そして、記憶制御部３７４は、記憶部３５に保持可能なログ数を超えるログ番号１２のログ（計測結果情報）を削除する。このようにして、記憶部３５には、最大で１１のログが記憶される。
このため、図４における上段に示す、既に記憶されていたログ番号１〜１０の計測結果情報は、新たな計測結果情報が記憶されると、図４における下段に示すように、ログ番号２〜１１の計測結果情報となる。
【００４０】
次に、時計１Ａの現在の動作モードが参照モードである場合、図３に示す表示制御部３７３は、ユーザーによって選択（指定）されたログ番号の計測結果情報を表示する。
具体的に、表示制御部３７３は、参照モードに切り替える操作が行われると、記憶部３５から最新の計測結果情報であるログ番号１の計測結果情報を取得する。そして、表示制御部３７３は、当該計測結果情報のうち、計測日時を針Ｈ１〜Ｈ４及び日付表示部２７によって表示し、計測結果を指針Ｐ１〜Ｐ３によって表示する。この際、表示制御部３７３は、ログ番号を秒針Ｈ３によって表示する。
【００４１】
また、上記変更操作が行われると、表示制御部３７３は、変更されたログ番号の計測結果情報を記憶部３５から取得する。そして、表示制御部３７３は、変更されたログ番号を秒針Ｈ３によって表示する他、上記と同様に、取得された計測結果情報のうち、計測日時を針Ｈ１〜Ｈ４及び日付表示部２７によって表示させ、計測結果を指針Ｐ１〜Ｐ３によって表示させる。
なお、動作モードが計測モードや参照モードである場合、ユーザーの最後の操作から所定時間が経過すると、上記動作制御部３７２によって、当該動作モードは基本モードに変更される。この基本モードに変更されると、表示制御部３７３は、指針Ｐ１〜Ｐ３を初期位置（それぞれ「０」を示す位置）に移動させて、計測結果の表示を停止するとともに、時刻表示針Ｈ及び日付表示部２７によって現在日時を表示する他、針Ｈ５によって現在の動作モードを表示する。なお、残量表示針Ｈ６は、時計１Ａの動作モードに関係なく表示される。
【００４２】
［記憶処理］
図５は、制御部３７によって行われる記憶処理を示すフローチャートである。
制御部３７は、動作モードが計測モードに切り替える入力操作が行われ、上記動作制御部３７２によって時計１Ａの動作モードが計測モードに切り替えられると、上記表示制御部３７３が計測結果の表示を行う他、記憶部３５に記憶された記憶プログラムを読み出して、以下に示す記憶処理を実行する。
この記憶処理では、図５に示すように、まず、制御部３７の操作判定部３７１が、上記スイッチＳＷＣの入力操作である上記記憶操作が行われたか否かを判定する（ステップＳＡ１）。
このステップＳＡ１の判定処理にて、記憶操作は行われていないと判定されると（ステップＳＡ１：ＮＯ）、制御部３７は、記憶処理を終了させる。
【００４３】
一方、上記ステップＳＡ１の判定処理にて、記憶操作が行われたと判定されると（ステップＳＡ１：ＹＥＳ）、記憶制御部３７４は、当該記憶操作が行われたタイミング（記憶操作が行われたと判定されたタイミング）での現在日時を計時部３２から取得するとともに、計測部３３から計測結果を取得し、これらを含む計測結果情報を記憶部３５に記憶させる（ステップＳＡ２）。なお、記憶制御部３７４によって取得される計測結果は、指針Ｐ１〜Ｐ３によって現在示されている計測結果である。このため、例えば、計測部３３が計測可能な計測項目のうちの高度が指針Ｐ１〜Ｐ３によって示されている場合には、記憶制御部３７４は、当該高度についての計測結果が現在日時と関連付けられて記憶部３５に記憶される。
【００４４】
そして、記憶制御部３７４は、記憶部３５に新たに記憶された計測結果情報、及び、記憶部３５に既に記憶されている計測結果情報に関連付けられるログ番号を設定する（ステップＳＡ３）。
具体的に、記憶制御部３７４は、上記のように、新たに記憶された計測結果情報のログ番号を１とし、既に記憶されている計測結果情報のログ番号を１繰り上げる。そして、記憶部３５に記憶可能なログ数を超えたログ番号の計測結果情報が存在する場合には、当該計測結果情報を記憶部３５から削除する。
このステップＳＡ３が実行されると、制御部３７は、記憶処理を終了する。なお、この記憶処理は、動作モードが計測モードである間、繰り返し実行される。
【００４５】
［参照処理］
図６は、制御部３７によって行われる参照処理を示すフローチャートである。
動作モードを参照モードに切り替える入力操作が行われ、上記動作制御部３７２によって時計１Ａの動作モードが参照モードに切り替えられると、制御部３７は、記憶部３５に記憶された参照プログラムを読み出して、以下に示す参照処理を実行する。
この参照処理では、図６に示すように、まず、表示制御部３７３が、最新の計測結果情報であるログ番号１の計測結果情報を取得する（ステップＳＢ１）。
そして、表示制御部３７３が、上記のように、ログ番号と、取得された計測結果情報とを表示する（ステップＳＢ２）。
例えば、ログ番号１の計測結果情報に含まれる計測日時が「３１日９時００分」である場合には、図１に示すように、番号針である秒針Ｈ３によってログ番号「１」が示され、日付表示部２７によって「３１日」が示され、時針Ｈ１，Ｈ４及び分針Ｈ２によって「９時００分」が示される。また、当該計測結果情報に含まれる計測結果が「２６５０」である場合には、指針Ｐ１によって上位一桁目の数値である「２」が示され、指針Ｐ２によって上位二桁目の数値である「６」が示され、指針Ｐ３によって上位三桁目及び四桁目の数値である「５０」が示される。
【００４６】
上記ステップＳＢ２の後、操作判定部３７１は、図６に示すように、ログ番号を変更する上記変更操作が行われたか否か、すなわち、スイッチＳＷＢの入力に応じた操作信号が入力されたか否かを判定する（ステップＳＢ３）。
このステップＳＢ３の判定処理にて、変更操作は行われていないと判定されると（ステップＳＢ３：ＮＯ）、制御部３７は、処理をステップＳＢ６に移行する。
【００４７】
一方、ステップＳＢ３の判定処理にて、変更操作が行われたと判定されると（ステップＳＢ３：ＹＥＳ）、表示制御部３７３は、当該変更操作の回数に応じて、参照するログ番号を変更し、当該ログ番号の計測結果情報を取得する（ステップＳＢ４）。
例えば、表示制御部３７３は、ログ番号を変更する入力操作が１回行われたと判定された場合には、現在参照しているログ番号に１を加算する。この場合、現在参照しているログ番号が１であれば、新たに参照するログ番号を２とする。なお、当該入力操作が２回行われたと判定された場合には、現在参照しているログ番号に２を加算し、当該ログ番号が１であれば、新たに参照するログ番号を３とする。
そして、表示制御部３７３は、新たに参照するログ番号に応じた計測結果情報を記憶部３５から取得する。
【００４８】
図７は、ログ番号２の計測結果情報を表示している時計１Ａを示す正面図である。
このステップＳＢ４の後、表示制御部３７３は、上記ステップＳＢ３での処理と同様に、新たに取得された計測結果情報を表示する（ステップＳＢ５）。
例えば、新たに参照するログ番号が２であり、当該ログ番号２の計測結果情報に含まれる計測日時が「３１日８時０５分」である場合には、図７に示すように、秒針Ｈ３によってログ番号「２」が示され、日付表示部２７によって「３１日」が示され、時針Ｈ１，Ｈ４及び分針Ｈ２によって「８時０５分」が示される。また、当該計測結果情報に含まれる計測結果が「２７２５」である場合には、指針Ｐ１によって上位一桁目の数値である「２」が示され、指針Ｐ２によって上位二桁目の数値である「７」が示され、指針Ｐ３によって上位三桁目及び四桁目の数値である「２５」が示される。
この後、制御部３７は、図６に示すように、処理をステップＳＢ６に移行する。
【００４９】
ステップＳＢ６では、動作制御部３７２が、動作モードを参照モードに変更する入力操作を含めて、最後に行われた入力操作から所定時間が経過したか否かを判定する（ステップＳＢ６）。
このステップＳＢ６の判定処理にて、所定時間は経過していないと判定された場合（ステップＳＢ６：ＮＯ）、制御部３７は、処理をステップＳＢ３に戻す。
一方、ステップＳＢ６の判定処理にて、所定時間が経過したと判定された場合（ステップＳＢ６：ＹＥＳ）、制御部３７は、参照処理を終了し、時計１Ａの動作モードを他のモード（例えば基本モード）に変更する。そして、表示制御部３７３は、計測モードから基本モード又は機内モードに変更された場合と同様に、モード表示針Ｈ５によって現在の動作モードを指示させる他、指針Ｐ１〜Ｐ３を初期位置に戻し、時刻表示針Ｈ及び日付表示部２７によって示される日時を現在日時に修正する。
このような参照処理を制御部３７が実行することにより、ユーザーの所望のタイミングにて記憶された計測結果と、当該計測結果が得られた計測日時とが、ログ番号と併せて、表示部ＤＵ（詳しくは、針Ｈ１〜Ｈ４、日付表示部２７及び指針Ｐ１〜Ｐ３）によって表示される。
【００５０】
［第１実施形態の効果］
以上説明した本実施形態に係る時計１Ａによれば、以下の効果を奏することができる。
参照モードでは、記憶処理にて記憶部３５に記憶された計測部３３による計測結果だけでなく、当該計測結果が得られたタイミングの計測日時（計測時刻を含む）を、表示部ＤＵを構成する時針Ｈ１，Ｈ４、分針Ｈ２、日付表示部２７及び指針Ｐ１〜Ｐ３によって表示できる。従って、ログとして記憶された計測結果を後から確認する場合でも、当該計測結果が得られた計測時刻をユーザーが把握できる。
【００５１】
表示部ＤＵは、計測結果情報を示す針として、計測日時を示す日時表示部ＤＴ（時針Ｈ１，Ｈ４、分針Ｈ２及び日付表示部２７）と、計測結果を示す指針Ｐ１〜Ｐ３と、が別に設けられている。これにより、計測時刻及び計測結果を同時に把握しやすくすることができる。
【００５２】
動作モードが計測モードであるときに、上記記憶操作が実施されると、記憶制御部３７４は、当該操作が行われたタイミングの計測結果情報（計測結果及び計測日時）を記憶部３５に記憶させる。これによれば、記憶部３５は、計測部３３によって計測された計測結果の全て（所定時間毎に実施される計測結果の全て）を記憶する必要がない。従って、記憶部３５の記憶容量を小さくすることができ、電子時計１Ａの製造コストを低減できる。
【００５３】
記憶制御部３７４は、記憶部３５による計測結果情報の記憶順を示すログ番号（記憶番号）とともに、計測結果情報を記憶部３５に記憶させる。これによれば、ログ番号に基づいて、記憶部３５からの計測結果情報の読み出しを迅速に実行できる。このため、参照モードにてログ番号が指定されてから、該当する計測結果情報が記憶部３５から読み出されるまでの時間を短縮できる。従って、計測結果情報を表示させる操作が行われてから、該当する計測結果情報が表示されるまでの時間を短縮できる。
【００５４】
記憶制御部３７４は、動作モードが計測モードであるときに上記記憶操作が行われると、新たに取得された計測結果情報を最新のログ番号１とともに記憶部３５に記憶させ、記憶部３５に既に記憶されている計測結果情報のログ番号を１繰り上げる。これによれば、記憶部３５への計測結果情報の記憶順にログ番号を整理できる。従って、ログ番号を指定して計測結果情報を表示する参照モードにて、当該ログ番号に応じた計測結果情報を効率よく取得及び表示できる。
【００５５】
計測結果情報を表示させる操作（スイッチＳＷＢの入力操作）が実施されると、動作制御部３７２は、動作モードを参照モードに切り替え、表示制御部３７３は、指定されたログ番号の計測結果情報を表示部ＤＵに表示させる。これによれば、ユーザーが参照したい計測結果情報を指定しやすくすることができる。
【００５６】
表示部ＤＵは、ログ番号を示す番号針として機能する秒針Ｈ３を有する。これによれば、上記参照モードにおいて計測結果情報が表示される際に、指定されたログ番号をユーザーが確認しやすくすることができる。従って、電子時計１Ａの利便性を向上させることができる。
【００５７】
［第２実施形態］
以下、本発明の第２実施形態について説明する。
本実施形態に係る電子時計は、上記電子時計１Ａと同様の構成を備える。ここで、当該時計１Ａでは、上記計測結果情報と記憶番号であるログ番号とを関連付けて記憶し、当該計測結果情報を参照する場合には、ユーザーはログ番号を指定した。これに対し、本実施形態に係る電子時計では、ユーザーが日時表示部ＤＴによって表示される日時をりゅうずＣＲによって変更することにより、参照日時が指定され、当該参照日時と計測日時が一致する計測結果が表示される。この点で、本実施形態に係る電子時計と、上記電子時計１Ａとは相違する。なお、以下の説明では、既に説明した部分と同一又は略同一である部分については、同一の符号を付して説明を省略する。
【００５８】
図８は、本実施形態に係る電子時計１Ｂが有する制御部３８の構成を示すブロック図である。
本実施形態に係る電子時計１Ｂ（以下、時計１Ｂと略す場合がある）は、図８に示すように、制御部３７に代えて制御部３８を有する他は、上記時計１Ａと同様の構成及び機能を有する。
なお、時計１Ｂが備える計測部３３は、比較的高い頻度にて計測を行い、当該計測部３３による計測結果は、計測日時とともに記憶部３５に記憶される。本実施形態では、計測部３３は、１分に１回の頻度で、気圧、高度及び方位を計測する。しかしながら、これに限らず、上記した他の計測項目を計測可能なセンサーを有していてもよく、計測頻度も適宜変更可能である。
【００５９】
制御部３８は、上記制御部３７と同様に、時計１Ｂの動作を制御するものであり、上記演算処理回路等を備えて構成されている。この制御部３８は、例えば、記憶部３５に記憶されたプログラムを読み出して、後述する記憶処理及び参照処理を実行する。このため、制御部３８は、操作判定部３８１、動作制御部３８２、表示制御部３８３及び記憶制御部３８４を有する。
【００６０】
操作判定部３８１は、上記操作判定部３７１と同様に、上記スイッチＳＷから入力される操作信号に基づいて、ユーザーによる入力操作の種別を判定する。
例えば、操作判定部３８１は、時計１Ｂの現在の動作モードが基本モードである場合に、スイッチＳＷＣの入力に応じた操作信号が入力された場合には、動作モードを計測モードに切り替える操作が行われたと判定する。
また、操作判定部３８１は、時計１Ｂの現在の動作モードが基本モードである場合に、スイッチＳＷＢの入力に応じた操作信号が入力された場合には、動作モードを参照モードに切り替える操作が行われたと判定する。
【００６１】
動作制御部３８２は、上記動作制御部３７２と同様に、時計１Ｂの動作を、自律的に、或いは、操作判定部３８１によって判定された操作に応じて制御する。
例えば、動作制御部３８２は、上記操作判定部３８１によって、動作モードを変更する入力操作が行われたと判定された場合に、当該入力操作に応じた動作モードに、時計１Ｂの動作モードを変更する。
【００６２】
表示制御部３８３は、駆動部３４を制御し、表示部ＤＵによって各種情報を表示する。
例えば、表示制御部３８３は、動作モードが基本モードである場合には、上記表示制御部３７３と同様に、駆動部３４を駆動させて、時刻表示針Ｈ（Ｈ１〜Ｈ４）及び日付表示部２７によって現在日時を表示する。また、表示制御部３８３は、モード表示針Ｈ５及び残量表示針Ｈ６によって、現在の動作モード及び電池残量を表示する。
【００６３】
更に、表示制御部３８３は、動作モードが計測モードである場合には、計測部３３による計測結果（計測値）を取得して、上記指針Ｐ１〜Ｐ３に当該計測結果を指示させる。なお、計測部３３は複数の計測項目を計測可能であるが、表示制御部３８３は、表示制御部３７３と同様に、ユーザーによって選択された１つの計測項目の計測結果を上記指針Ｐ１〜Ｐ３によって指示させる。しかしながら、これに限らず、上記のように、計測結果を表示する計測項目を順次切り替えてもよい。また、動作モードが計測モードである場合には、表示制御部３８３は、現在日時を表示させてもよく、表示させなくてもよい。
なお、参照モードでの表示制御部３８３の動作については、後に詳述する。
【００６４】
記憶制御部３８４は、記憶制御部３７４と同様に、記憶部３５による情報の記憶を制御する。
例えば、記憶制御部３８４は、計測部３３によって計測されている計測結果（計測値）と計測日時とを関連付けて、記憶部３５に記憶させる。この際、記憶制御部３８４は、記憶部３５に記憶させる計測項目を、ユーザーによって選択された計測項目（計測モードにて表示するようにユーザーによって設定された計測項目）に限定してもよく、全ての計測項目の計測結果を記憶部３５に記憶させてもよい。
このような記憶制御部３８４による計測結果及び計測日時の記憶は、計測部３３が動作していれば行われる。すなわち、計測部３３によって計測された計測結果と計測日時を含む計測結果情報の記憶は、計測部３３が機能していれば、時計１Ｂの動作モードがいずれの動作モードであっても実施される。
【００６５】
ここで、表示制御部３８３は、時計１Ｂの動作モードが参照モードに設定されている場合には、ユーザーによって設定された参照日時に応じた計測結果を記憶部３５から取得して、当該計測結果を指針Ｐ１〜Ｐ３によって表示する。
具体的に、表示制御部３８３は、動作モードが参照モードに設定されると、現在の時針Ｈ１，Ｈ４及び分針Ｈ２によって指示されている時刻、並びに、日付表示部２７によって表示されている日付を、参照日時として取得する。そして、表示制御部３８３は、当該参照日時に対応する計測結果を記憶部３５から取得し、取得した計測結果を、指針Ｐ１〜Ｐ３によって表示する。なお、計測日時については、ユーザーによって操作された時針Ｈ１，Ｈ４、分針Ｈ２及び日付表示部２７によって表示されることとなる。
【００６６】
図９は、動作モードが参照モードに設定された時計１Ｂを示す図である。換言すると、図９は、ユーザーＵＳがりゅうずＣＲを操作して参照日時を変更している際の指針Ｐ１〜Ｐ３の動きを示す図である。
なお、参照モードでは、時針Ｈ１，Ｈ４及び分針Ｈ２と日付表示部２７とによって参照日時が設定されるが、当該参照日時に含まれる時分の設定操作は、ユーザーによってりゅうずＣＲが操作されることで行われる。一方、計測部３３は、上記のように、１分毎に上記センサーの少なくともいずれかによる計測を実施している。
このため、動作モードが参照モードである場合には、図９に示すように、ユーザーによってりゅうずＣＲが操作されて、時針Ｈ１，Ｈ４及び分針Ｈ２が移動されると、表示制御部３８３が、日時表示部ＤＴによって表示されている参照日時と計測日時が一致する計測結果を取得及び表示する。このように表示制御部３８３が、計測結果を指針Ｐ１〜Ｐ３によって表示することから、ユーザーによってりゅうずＣＲが操作されて時針Ｈ１，Ｈ４及び分針Ｈ２が移動されると、これら針Ｈ１，Ｈ２，Ｈ４の動きに応じて、指針Ｐ１〜Ｐ３が移動して、対応する計測結果が表示される。
【００６７】
なお、上記のように、計測部３３は、３つの計測項目を計測可能であり、記憶部３５は、これら計測項目のうち、少なくとも１つの計測項目の計測結果を記憶する。このため、記憶部３５が、複数の計測項目の計測結果を記憶する場合には、表示制御部３８３は、当該複数の計測項目のうち、ユーザーによって選択された計測項目の計測結果を表示してもよい。また、予め設定された１つの計測項目の計測結果が記憶部３５に記憶される構成である場合には、表示制御部３８３は、当該１つの計測項目の計測結果を表示するように構成してもよい。
また、本実施形態では、時針Ｈ１，Ｈ４及び分針Ｈ２の位置によって参照日時に含まれる参照時刻を設定している。すなわち、秒針Ｈ３によって示される秒は、参照日時に含めていない。しかしながら、これに限らず、りゅうずＣＲ等の操作によって秒針Ｈ３の位置も変更可能であれば、当該秒針Ｈ３により示される秒も、参照日時に含めてもよい。
【００６８】
［記憶処理］
上記のように、記憶制御部３８４は、計測部３３が機能している間、当該計測部３３によって計測可能な計測項目のうち少なくとも１つの計測項目の計測結果を、計測日時とともに記憶部３５に記憶させている。本実施形態では、計測部３３は、上記３つの計測項目を１分に１回の頻度で計測し、記憶制御部３８４は、当該３つの計測項目の計測結果を、それぞれ計測日時と関連付けて記憶する。すなわち、本実施形態に係る時計１Ｂにおいては、記憶部３５に計測結果情報を記憶させる上記記憶操作は不要であり、ログ番号も不要である。
【００６９】
［参照処理］
図１０は、制御部３８が実行する参照処理を示すフローチャートである。
ユーザーの入力操作に応じて時計１Ｂの動作モードが参照モードに切り替えられると、制御部３８は、記憶部３５に記憶された参照プログラムを読み出して、以下に示す参照処理を実行する。
この参照処理では、図１０に示すように、まず、表示制御部３８３が、りゅうずＣＲに対するユーザーの操作によって設定された参照日時を取得する（ステップＳＤ１）。
【００７０】
次に、表示制御部３８３は、取得された参照日時に計測日時が一致する計測結果情報が記憶されているか否かを判定する（ステップＳＤ２）。
このステップＳＤ２の判定処理にて、該当する計測結果情報が記憶されていないと判定されると（ステップＳＤ２：ＮＯ）、制御部３８は、指針Ｐ１〜Ｐ３による計測結果の表示を行わずに、処理をステップＳＤ４に移行する。
一方、ステップＳＤ２の判定処理にて、該当する計測結果情報が記憶されていると判定されると（ステップＳＤ２：ＹＥＳ）、表示制御部３８３は、当該計測結果情報に含まれる計測結果を指針Ｐ１〜Ｐ３によって表示する（ステップＳＤ３）。この後、制御部３８は、処理をステップＳＤ４に移行する。
【００７１】
ステップＳＤ４では、表示制御部３８３が、ユーザーによる参照日時の変更操作が行われたか否かを判定する（ステップＳＤ４）。換言すると、ステップＳＤ４では、表示制御部３８３が、参照日時が変更されたか否かを判定する。
このステップＳＤ４の判定処理にて、参照日時が変更されたと判定されると（ステップＳＤ４：ＹＥＳ）、制御部３８は、処理をステップＳＤ１に戻す。
一方、ステップＳＤ４の判定処理にて、参照日時が変更されていないと判定されると（ステップＳＤ４：ＮＯ）、制御部３８は、ユーザーによる最後の操作から所定時間が経過したか否かを判定する（ステップＳＤ５）。
【００７２】
このステップＳＤ５の判定処理にて、当該所定時間が経過していないと判定されると（ステップＳＤ５：ＮＯ）、制御部３８は、処理をステップＳＤ４に戻す。
一方、ステップＳＤ５の判定処理にて、当該所定時間が経過したと判定されると（ステップＳＤ５：ＹＥＳ）、制御部３８は、参照処理を終了し、動作制御部３８２が、動作モードを参照モードから基本モードに切り替える。そして、表示制御部３８３は、時刻表示針Ｈ及び日付表示部２７によって示される日時を、計時部３２によって計時されている現在日時に修正する。
このような参照処理によって、ユーザーにより設定された参照日時の計測結果が、指針Ｐ１〜Ｐ３によって表示される。
【００７３】
［第２実施形態の効果］
以上説明した時計１Ｂによれば、上記時計１Ａと同様の効果を奏することができる他、以下の効果を奏することができる。
計測部３３は、１分に１回の頻度で、上記計測項目を計測し、記憶制御部３８４は、計測部３３による計測結果と計測日時とを関連付けて記憶部３５に記憶させる。そして、時計１Ｂの動作モードが参照モードであるときに、ユーザーが日時表示部ＤＴによって示される日時を変更する日時操作（時刻操作）をりゅうずＣＲに対して実施すると、制御部３８の表示制御部３８３は、当該日時が計測日時と一致する計測結果情報を取得し、当該計測結果情報に含まれる計測結果を指針Ｐ１〜Ｐ３によって示す。これによれば、日時表示部ＤＴによって示される日時を変更することによって、ユーザーに、計測結果の推移を把握させやすくすることができる。従って、電子時計１Ｂの利便性を向上させることができる。
【００７４】
なお、上記時計１Ｂでは、取得された参照日時と計測日時とが一致した場合に計測結果を表示する構成とした。しかしながら、これに限らず、針Ｈ１，Ｈ２，Ｈ４が進められた場合には、参照日時と計測日時とが一致したら当該計測日時の計測結果を表示し、針Ｈ１，Ｈ２，Ｈ４が戻される場合には、参照日時と計測日時とが一致したら当該計測日時の一つ前の計測日時の計測結果を表示するように、時計１Ｂを構成してもよい。すなわち、複数の計測結果情報に含まれる計測日時のうち、ある計測日時を第１計測日時とし、当該第１計測日時の次の計測日時を第２計測日時とした場合、第１計測日時と第２計測日時との間の期間（範囲）に参照日時が含まれると、当該第１計測日時の計測結果が表示されるように、時計１Ｂを構成してもよい。この際、第２計測日時が無い場合には、当該第２計測日時を現在日時と置き換えてもよい。一方、第２計測日時の計測結果が表示されてもよい。
【００７５】
［第３実施形態］
次に、本発明の第３実施形態について説明する。
本実施形態に係る電子時計は、上記電子時計１Ｂと同様の構成を有する。ここで、当該電子時計１Ｂでは、参照モードにおける参照日時は、ユーザーがりゅうずＣＲを操作することによって設定されるとした。これに対し、本実施形態に係る電子時計では、日時表示部ＤＴによって表示される日時は、スイッチの入力操作によって変更可能であり、当該入力操作によって参照日時が設定される。この点で、本実施形態に係る電子時計と、上記電子時計１Ｂとは相違する。なお、以下の説明では、既に説明した部分と同一又は略同一である部分については、同一の符号を付して説明を省略する。
【００７６】
図１１は、本実施形態に係る電子時計１Ｃを示す正面図である。
本実施形態に係る電子時計１Ｃは、上記電子時計１Ｂと同様の構成を有する他、図１１に示すように、りゅうずＣＲに代えて２つのスイッチＳＷを有する。
これらスイッチＳＷ（ＳＷＤ，ＳＷＥ）は、電子時計１Ｃ（以下、時計１Ｃと略す場合がある）の動作モードが基本モード又は参照モードである場合に機能し、時針Ｈ１，Ｈ４、分針Ｈ２及び日車２７１を回転させて、これらによって示される日時を変更する。
【００７７】
具体的に、スイッチＳＷＤは、時間が遡る方向に時針Ｈ１，Ｈ４及び分針Ｈ２を回転させる他、日付が遡る方向に日付表示部２７の日車２７１を回転させる。一方、スイッチＳＷＥは、時間が進む方向に時針Ｈ１，Ｈ４及び分針Ｈ２を回転させる他、日付が進む方向に日車２７１を回転させる。
これら時針Ｈ１，Ｈ４、分針Ｈ２及び日車２７１のそれぞれの回転は、表示制御部３８３によって動作が制御される上記駆動部３４によって行われる。
【００７８】
ここで、表示制御部３８３は、スイッチＳＷＤ，ＳＷＥが入力（押下）された場合、以下に示す日時設定方法のうち、いずれかの方法にて、時針Ｈ１，Ｈ４、分針Ｈ２及び日車２７１を回動させる。
第１の日時設定方法は、動作モードが参照モードであるときの針Ｈ１，Ｈ２，Ｈ４及び日車２７１の回動速度（移動速度）を、基本モードであるときより高い速度とする方法である。例えば、動作モードが参照モードである場合には、これらの回動速度を基本モードの２倍とする。
【００７９】
第２の日時設定方法は、示される日時が過去に遡るに従って、上記針Ｈ１，Ｈ２，Ｈ４及び日車２７１の回動速度を高くする方法である。換言すると、第２の日時設定方法は、スイッチＳＷＤ，ＳＷＥの入力時間が長くなるに従って、当該回動速度を高くする方法である。例えば、当該入力時間が所定時間を経過すると、段階的にそれまでの回動速度より高い速度とする。この場合、いったんスイッチＳＷＤ，ＳＷＥの入力操作が中断されると、当該回動速度は、変更される前の速度に戻る。
【００８０】
第３の日時設定方法は、第１の日時設定方法と第２の日時設定方法の組合せである。具体的に、第３の日時設定方法は、動作モードが参照モードであるときの上記針Ｈ１，Ｈ２，Ｈ４及び日車２７１の回動速度を、基本モードであるときの回動速度より高い速度とし、更に、スイッチＳＷＤ，ＳＷＥの入力時間（押下時間）に応じて、当該回動速度を高くする方法である。
これらのうち、いずれかの日時設定方法にて、表示制御部３８３による制御の下、駆動部３４は、上記針Ｈ１，Ｈ２，Ｈ４及び日車２７１を回動させて、上記参照処理における参照日時を設定する。
【００８１】
このような時計１Ｃの制御部３８は、上記時計１Ｂと同様の記憶処理を実行し、当該制御部３８の記憶制御部３８４が、計測部３３による計測結果を、計測日時とともに、記憶部３５に記憶させる。
また、制御部３８は、上記時計１Ｂと同様の参照処理を実行し、表示制御部３８３が、スイッチＳＷＤ，ＳＷＥによって変更される参照日時に応じた計測結果を指針Ｐ１〜Ｐ３によって指示する。
【００８２】
［第３実施形態の効果］
以上説明した時計１Ｃによれば、上記時計１Ｂと同様の効果を奏することができる他、以下の効果を奏することができる。
上記第１及び第３の日時設定方法のいずれかが採用される場合、時計１Ｃの動作モードが参照モードであるときに、表示日時を変更する操作（スイッチＳＷＤ，ＳＷＥの入力操作）が行われると、表示制御部３８３による制御の下、駆動部３４は、基本モードであるときの移動速度より高い移動速度で、時針Ｈ１，Ｈ４、分針Ｈ２及び日車２７１を移動させる。具体的には、参照モードでの分針Ｈ２の移動速度を基本モードでの移動速度の２倍とし、これにより、時針Ｈ１，Ｈ４及び日車２７１の移動速度を２倍とする。すなわち、参照モードでは、基本モードの２倍の速度で、表示日時が変更される。
これによれば、りゅうずＣＲを回して表示日時を変更する場合に比べて、当該表示日時を迅速に変更できる。
また、上記動作モードが参照モードであるときには、基本モードであるときより高い速度にて、表示日時、すなわち、参照日時の変更が行われる。このため、当該参照日時に応じた計測結果の推移を把握しやすくすることができる。
【００８３】
上記第２及び第３の日時設定方法のいずれかが採用される場合、時計１Ｃの動作モードが参照モードであるときに、表示日時を変更する操作が行われると、表示制御部３８３による制御の下、駆動部３４は、当該表示日時が過去に遡るに従って、当該表示日時、すなわち、参照日時の変更速度が高くなるように、時針Ｈ１，Ｈ４、分針Ｈ２及び日車２７１の移動速度（回転速度）を高める。具体的には、上記スイッチＳＷＤ，ＳＷＥの入力時間が長くなるに従って分針Ｈ２の回動速度を高めることによって、表示日時の変更速度を高める。なお、分針Ｈ２が一時間分移動すると時針Ｈ１，Ｈ４が一時間分移動し、時針Ｈ１，Ｈ４が一日分移動すると日車２７１が一日分移動する。
これによれば、比較的古い計測結果を参照する場合に、当該計測結果に関連付けられた計測日時に参照日時を合わせやすくすることができる。従って、電子時計１Ｃの利便性を向上させることができる。
【００８４】
［実施形態の変形］
本発明は、上記各実施形態に限定されるものではなく、本発明の目的を達成できる範囲での変形、改良等は本発明に含まれるものである。
上記各実施形態では、計測部３３による計測結果を記憶部３５に記憶させる際に、当該計測結果が得られた日時である計測日時を、当該計測結果に関連付けて記憶させるとした。ここで、計測日時は、計時部３２によって計時されている現在日時でなくてもよく、例えば、日時表示部ＤＴの表示状態（各針の位置）に基づいて計測日時を取得し、当該計測日時を計測結果と関連付けて記憶させてもよい。更に、計測結果が得られたタイミングの時針Ｈ１，Ｈ４及び分針Ｈ２の位置（角度）と、日車２７１の位置（角度）とを、計測日時を示す情報として記憶してもよい。
更に、計測結果を記憶するタイミングにて、受信部３１によって日時情報を取得し、当該日時情報を計測日時として記憶する構成としてもよい。
また、電子時計は、計測結果と計測時刻とを記憶し、これらを表示部ＤＵによって表示する構成としてもよい。この場合、日付表示部２７は無くてもよく、日付を判定しなくてもよい。
【００８５】
上記各実施形態では、計測日時のうち計測時刻を示す時針Ｈ１，Ｈ４及び分針Ｈ２と、計測結果を示す指針Ｐ１〜Ｐ３とは、別に設けられた。しかしながら、これに限らず、例えば、電子時計が、直近１時間の計測結果のみ記憶可能に構成されている場合には、時針を指針の１つとして利用してもよい。
また、上記第２及び第３実施形態に示した時計１Ｂ，１Ｃのように、ログ番号を表示しない場合には、秒針Ｈ３を、計測結果を示す指針の１つとして利用してもよい。
【００８６】
上記第１実施形態では、動作モードが計測モードであるときに、上記記憶操作が実施されると、記憶制御部３７４が、上記計測結果情報をログ番号とともに記憶部３５に記憶させるとした。しかしながら、これに限らず、上記第２及び第３実施形態に係る電子時計１Ｂ，１Ｃの記憶制御部３８４と同様に、記憶制御部３７４は、計測結果及び計測日時を記憶部３５に常に記憶させる構成としてもよく、上記記憶操作が行われた場合に、当該記憶操作が行われたタイミングでの計測結果情報と、ログ番号とを互いに関連付けて記憶する構成としてもよい。
また、上記各実施形態に係る電子時計１Ａ，１Ｂ，１Ｃにおいて、外部機器から受信される要求情報に応じて、計測結果情報を当該外部機器に送信する通信部３６を有するとした。しかしながら、これに限らず、当該通信部３６は無くてもよい。
【００８７】
上記第１実施形態では、記憶部３５は、ログとして１１の計測結果情報を記憶可能に構成され、新たに取得された計測結果情報を記憶する場合には、最も古い計測結果情報を削除する構成とした。すなわち、記憶部３５は、ＦＩＦＯ（First In First Out）方式にて計測結果情報を記憶するとした。しかしながら、これに限らず、記憶制御部３７４は、既定数以上の計測結果情報を記憶部３５に記憶しない構成としてもよい。この場合、消去する計測結果情報をユーザーに選択させてもよい。
また、最新の計測結果情報に対応するログ番号を「１」とし、記憶部３５に既に記憶されている計測結果情報のログ番号を、当該計測結果情報が古くなるに従って大きくするとした。しかしながら、これに限らず、最新の計測結果情報を示すログ番号を、記憶部３５に記憶可能な計測結果情報の数とし、記憶部３５に既に記憶されている計測結果情報のログ番号を、当該計測結果情報が古くなるに従って小さくしてもよい。この場合、新たに計測結果情報を記憶する際に、既に記憶されている計測結果情報のログ番号を繰り下げればよい。
【００８８】
上記第１実施形態では、ユーザーによって指定されたログ番号の計測結果情報を表示するとした。しかしながら、これに限らず、動作モードが参照モードに変更されると、表示制御部３７３が、所定時間毎（例えば３秒毎）に計測結果情報をログ番号順に表示させる構成としてもよい。
【００８９】
上記第１実施形態では、時計１Ａは、スイッチＳＷＣが、ログを記憶部３５に記憶させる記憶操作を受け付ける記憶操作部として構成された。しかしながら、これに限らず、記憶操作部は、スイッチＳＷＡ，ＳＷＢ等の他のスイッチやりゅうずＣＲでもよい。また、例えば、時計が、当該時計の動きを検出するセンサー（加速度センサー及びジャイロセンサー等）を有する場合、当該センサーによる検出結果に基づいて、ユーザーが所定の動作を実施したと判定される場合に、記憶制御部が、計測結果及び計測日時を含む計測結果情報を記憶部に記憶させる構成としてもよい。計測結果情報を表示させる操作も同様であり、上記第２及び第３実施形態における記憶操作及び表示操作においても同様である。
【００９０】
上記第１実施形態では、時計１Ａは、動作モードが計測モードであるときに、スイッチＳＷＣが入力されると、当該スイッチＳＷＣの入力時の計測結果情報を記憶するとした。しかしながら、これに限らず、いずれの動作モードにおいても計測部３３が機能している場合には、時計１Ａに対する所定の操作が行われた場合に、計測結果情報をログとして記憶する構成としてもよい。すなわち、計測結果情報をログとして記憶する際の動作モードは問わない。
【００９１】
上記第２及び第３実施形態では、りゅうずＣＲの回転操作、及び、スイッチＳＷＤ，ＳＷＥの入力操作に応じて、分針Ｈ２が回転され、ひいては、時針Ｈ１，Ｈ４及び日付表示部２７の表示が変更される構成とした。しかしながら、これに限らず、電子時計１Ｂ，１Ｃの動作モードが参照モードに変更されると、時針Ｈ１，Ｈ４、分針Ｈ２又は日車２７１が過去に遡る方向に回転し、これらによって表示される日時を計測日時とする計測結果が指針Ｐ１〜Ｐ３によって表示されてもよい。例えば、計測部３３が１時間に１回の頻度で計測する場合には、りゅうずＣＲの回転操作、及び、スイッチＳＷＤ，ＳＷＥの入力操作に応じて、時針Ｈ１，Ｈ４のみが回動され、参照日時のうちの時分の時が、計測日時のうちの時分の時と一致する計測結果を表示する構成としてもよい。また、計測部３３が１日に１回の頻度で計測する場合には、りゅうずＣＲの回転操作、及び、スイッチＳＷＤ，ＳＷＥの入力操作に応じて、日車２７１のみが回動され、参照日時のうちの日付が、計測日時のうちの日付と一致する計測結果を表示する構成としてもよい。
【００９２】
上記第２及び第３実施形態では、計測部３３は、１分に１回の間隔で、気圧、高度及び方位を計測し、記憶制御部３８４が、これらの計測結果を計測日時と関連付けて記憶部３５に記憶させるとした。しかしながら、これに限らず、計測部３３による計測周期、及び、記憶制御部３８４による記憶部３５への記憶周期は、適宜変更可能である。例えば、計測部３３は、１時間に１回の間隔で計測してもよい。
また、記憶制御部３８４は、所定間隔での計測値の平均値を算出し、当該計測値を、所定間隔毎に計測結果として記憶部３５に記憶させる構成としてもよい。例えば、計測部３３が４秒間隔で所定の計測項目を計測し、記憶制御部が、１分間の間の当該所定の計測項目の平均値を算出し、当該平均値を計測結果として１分毎に記憶部に記憶させる構成としてもよい。
【００９３】
上記各実施形態では、表示部ＤＵは、１２時間針である時針Ｈ１と２４時間針である時針Ｈ４を有するとした。しかしながら、これに限らず、電子時計は、時針Ｈ１，Ｈ４のうち、一方のみを有する構成としてもよい。
また、文字盤２２のデザイン（例えば小窓のレイアウト）は、適宜変更可能である。
【符号の説明】
【００９４】
１Ａ，１Ｂ，１Ｃ…電子時計、２…時計本体、２１…筐体、２２…文字盤、２３〜２６…小窓、２７…日付表示部、２７１…日車、３３…計測部、３４…駆動部、３５…記憶部、３７，３８…制御部、３７３…表示制御部、３７４…記憶制御部、ＣＲ…りゅうず、ＤＴ…日時表示部、ＤＵ…表示部、Ｈ…時刻表示部、Ｈ１，Ｈ４…時針、Ｈ２…分針、Ｈ３…秒針（番号針）、Ｈ５…モード表示針、Ｈ６…残量表示針、Ｐ１〜Ｐ３…指針、ＳＶ（ＳＶ１〜ＳＶ４）…目盛値、ＳＷ（ＳＷＡ，ＳＷＢ，ＳＷＣ）…スイッチ。
【図１】
2018159665.tif 000003
【図２】
2018159665.tif 000004
【図３】
2018159665.tif 000005
【図４】
2018159665.tif 000006
【図５】
2018159665.tif 000007
【図６】
2018159665.tif 000008
【図７】
2018159665.tif 000009
【図８】
2018159665.tif 000010
【図９】
2018159665.tif 000011
【図１０】
2018159665.tif 000012
【図１１】
2018159665.tif 000013